(57)【要約】      （修正有）【課題】記録媒体に転写された画像のトナーが、当該画像の後方側へ飛散するのを抑制する。【解決手段】画像形成装置１０は、金属顔料を含まない透明トナー（第一トナーの一例）で透明画像（第一画像の一例）を形成するトナー画像形成部２０Ｖ（第一形成部の一例）と、金属顔料を含む白色トナー（第二トナーの一例）で白色画像（第二画像の一例）を形成するトナー画像形成部２０Ｗ（第二形成部の一例）と、白色画像における単位面積当たりのトナー質量が、予め定められた値以上である場合に、透明画像が転写された後にその上に白色画像が転写される転写ベルト３１（転写体の一例）と、二次転写ロール３４に二次転写電圧が印加されて前記転写ベルト３１から記録媒体へ透明画像及び白色画像を転写する二次転写ベルト３６（転写部の一例）と、を備える。【選択図】図１
2018155781.tif 000002
【特許請求の範囲】
【請求項１】
金属顔料を含まない第一トナーで第一画像を形成する第一形成部と、
金属顔料を含む第二トナーで第二画像を形成する第二形成部と、
該第二画像における単位面積当たりのトナー質量が、予め定められた値以上である場合に、該第一画像が転写された後にその上に該第二画像が転写される転写体と、
転写電圧が印加されて前記転写体から記録媒体へ該第一画像及び該第二画像を転写する転写部と、
を備える画像形成装置。
【請求項２】
前記第一形成部は、前記第一トナーの帯電量が、前記第二形成部における前記第二トナーの帯電量よりも高くされている
請求項１に記載の画像形成装置。
【請求項３】
前記転写体に転写された第一画像を、前記記録媒体に転写される前に、前記転写体上で空転写する空転写部
を備える請求項１又は２に記載の画像形成装置。
【請求項４】
前記転写体は、前記第二画像における単位面積当たりのトナー質量が、予め定められた値以上である場合であって、前記第二形成部におけるトナー帯電量が予め定められた値未満である場合に、該第一画像が前記転写体に転写された後にその上に該第二画像が転写される
請求項１〜３のいずれか１項に記載の画像形成装置。
【請求項５】
前記転写体は、該第二画像における単位面積当たりのトナー質量が、予め定められた値以上である場合であっても、前記第二形成部におけるトナー帯電量が予め定められた値以上である場合には、前記第一画像が前記転写体に転写されずに前記第二画像が転写される
請求項１〜４のいずれか１項に記載の画像形成装置。
【発明の詳細な説明】
【技術分野】
【０００１】
本発明は、画像形成装置に関する。
【背景技術】
【０００２】
特許文献１には、クリアトナー像を中間転写ベルトに転写する画像形成ユニットと、各有色トナー像を中間転写ベルト上のクリアトナー像に重なるように転写する画像形成ユニットと、各色トナー像を記録媒体に転写する二次転写ロールと、を備える画像形成装置が開示されている。
【先行技術文献】
【特許文献】
【０００３】
【特許文献１】特開２０１０−２２４１２６号公報
【発明の概要】
【発明が解決しようとする課題】
【０００４】
ここで、二次転写ロール等の転写部と、記録媒体における転写部を通過した通過部分と、の間で剥離放電が生じると、負極に帯電していた記録媒体は、通過部分が低帯電化しやすい。これにより、記録媒体の通過部分と通過前の部分とで電界が形成され、記録媒体に転写されたトナー画像における記録媒体への付着力の弱いトナー（例えば、上層のトナー）が、前述の電界に沿って、トナー画像の後方側（搬送方向上流側）へ飛散する場合がある。
【０００５】
特に、金属顔料を含むトナー（以下、金属トナーという）は、導電性を有するため、金属トナーが、電荷注入によって低帯電化しやすい。このため、記録媒体への付着力が弱くなりやすく、トナー画像の後方側へ飛散しやすい。
【０００６】
さらに、トナー画像における単位面積当たりのトナー質量が多くなると、記録媒体上に形成されるトナー層が多層になる。これにより、記録媒体への付着力の弱くなる上層のトナー量が増えるため、トナー画像の後方側への飛散が発生しやすい。
【０００７】
本発明は、金属顔料を含むトナーで形成された画像における単位面積当たりのトナー質量が、予め定められた値以上である場合であっても、常に、当該画像のみを転写体に転写する構成に比べ、記録媒体に転写された画像のトナーが、当該画像の後方側へ飛散するのを抑制することを目的とする。
【課題を解決するための手段】
【０００８】
請求項１の発明は、金属顔料を含まない第一トナーで第一画像を形成する第一形成部と、金属顔料を含む第二トナーで第二画像を形成する第二形成部と、該第二画像における単位面積当たりのトナー質量が、予め定められた値以上である場合に、該第一画像が転写された後にその上に該第二画像が転写される転写体と、転写電圧が印加されて前記転写体から記録媒体へ該第一画像及び該第二画像を転写する転写部と、を備える。
【０００９】
請求項２の発明では、前記第一形成部は、前記第一トナーの帯電量が、前記第二形成部における前記第二トナーの帯電量よりも高くされている。
【００１０】
請求項３の発明は、前記転写体に転写された第一画像を、前記記録媒体に転写される前に、前記転写体上で空転写する空転写部を備える。
【００１１】
請求項４の発明では、前記転写体は、前記第二画像における単位面積当たりのトナー質量が、予め定められた値以上である場合であって、前記第二形成部におけるトナー帯電量が予め定められた値未満である場合に、該第一画像が前記転写体に転写された後にその上に該第二画像が転写される。
【００１２】
請求項５の発明では、前記転写体は、該第二画像における単位面積当たりのトナー質量が、予め定められた値以上である場合であっても、前記第二形成部におけるトナー帯電量が予め定められた値以上である場合には、前記第一画像が前記転写体に転写されずに前記第二画像が転写される。
【発明の効果】
【００１３】
本発明の請求項１の構成によれば、金属顔料を含む第二トナーで形成された第二画像における単位面積当たりのトナー質量が、予め定められた値以上である場合であっても、常に、第二画像のみを転写体に転写する構成に比べ、記録媒体に転写された第二画像の第二トナーが、第二画像の後方側へ飛散するのを抑制できる。
【００１４】
本発明の請求項２の構成によれば、金属顔料を含まない第一トナーの帯電量が、金属顔料を含む第二トナーの帯電量以下である構成に比べ、第一トナーが第二トナーを記録媒体に保持する保持力が向上する。
【００１５】
本発明の請求項３の構成によれば、第一トナーで形成された第一画像が空転写を受けずにそのまま記録媒体に転写される構成に比べ、第一トナーが第二トナーを記録媒体に保持する保持力が向上する。
【００１６】
本発明の請求項４の構成によれば、第二トナーで形成された第二画像における単位面積当たりのトナー質量が、予め定められた値以上である場合であって、第二形成部におけるトナー帯電量が予め定められた値未満である場合であっても、常に、第二画像のみを転写体に転写する構成に比べ、第二画像が転写された記録媒体において、第二トナーが第二画像の後方側へ飛散するのを抑制できる。
【００１７】
本発明の請求項５の構成によれば、第二画像における単位面積当たりのトナー質量が、予め定められた値以上である場合であって、第二形成部におけるトナー帯電量が予め定められた値以上である場合に、常に、第一画像を転写体に転写した後にその上に第二画像が転写される構成に比べ、第一トナーの不要な消費を抑制できる。
【図面の簡単な説明】
【００１８】
【図１】本実施形態に係る画像形成装置を正面側から見た構成を示す概略図である。
【図２】本実施形態に係るトナー画像形成部を示す概略図である。
【図３】本実施形態に係る転写装置を示す概略図である。
【図４】本実施形態に係る画像形成装置における二次転写位置での白色トナーの挙動を示す図である。
【図５】比較例に係る構成における二次転写位置での白色トナーの挙動を示す図である。
【図６】変形例に係る画像形成装置を正面側から見た構成を示す概略図である。
【発明を実施するための形態】
【００１９】
以下に、本発明に係る実施形態の一例を図面に基づき説明する。なお、各図に示す矢印Ｈは鉛直方向を示し、矢印Ｗは水平方向であって装置幅方向を示す。
【００２０】
＜画像形成装置１０の構成＞
図１は、画像形成装置１０を正面側から見た構成を示す概略図である。この図に示されるように、画像形成装置１０は、電子写真方式により用紙やフィルム等の記録媒体Ｐに画像を形成する画像形成部１２と、記録媒体Ｐを搬送する搬送装置５０と、画像形成装置１０の各部の動作を制御する制御部７０と、を有している。この画像形成装置１０は、いわゆるタンデム方式の画像形成装置とされている。
【００２１】
（搬送装置５０）
図１に示されるように、搬送装置５０は、記録媒体Ｐが収容される収容器５１と、収容器５１から二次転写位置ＮＴへ記録媒体Ｐを搬送する複数の搬送ロール５２と、を有している。さらに、搬送装置５０は、二次転写位置ＮＴから定着装置４０へ記録媒体Ｐを搬送する複数の搬送ベルト５８と、定着装置４０から記録媒体Ｐの排出部（図示省略）へ向けて記録媒体Ｐを搬送する搬送ベルト５４及び搬送ロール５６と、を有している。
【００２２】
（画像形成部１２）
画像形成部１２は、トナー画像を形成するトナー画像形成部２０と、トナー画像形成部２０で形成されたトナー画像を記録媒体Ｐに転写する転写装置３０と、記録媒体Ｐに転写されたトナー画像を加熱及び加圧して記録媒体Ｐに定着する定着装置４０と、を有している。
【００２３】
トナー画像形成部２０は、色ごとにトナー画像を形成するように複数備えられている。この実施形態では、透明（Ｖ）、イエロー（Ｙ）、マゼンタ（Ｍ）、シアン（Ｃ）、ブラック（Ｋ）、白色（Ｗ）の計６色のトナー画像形成部２０が設けられている。
【００２４】
図１に示す（Ｖ）、（Ｙ）、（Ｍ）、（Ｃ）、（Ｋ）、（Ｗ）は、上記各色に対応する構成部分を示している。なお、本明細書の説明では、（Ｖ）、（Ｙ）、（Ｍ）、（Ｃ）、（Ｋ）、（Ｗ）の括弧を省略して、Ｖ、Ｙ、Ｍ、Ｃ、Ｋ、Ｗと記載する場合がある。
【００２５】
〔トナー画像形成部２０〕
各色のトナー画像形成部２０は、用いるトナーを除き基本的に同様に構成されている。具体的には、各色のトナー画像形成部２０は、図２に示されるように、図２における時計周り方向に回転する感光体ドラム２１と、感光体ドラム２１を帯電させる帯電器２２と、を有している。さらに、各色のトナー画像形成部２０は、帯電器２２によって帯電された感光体ドラム２１を露光して感光体ドラム２１に静電潜像を形成する露光装置２３と、露光装置２３によって感光体ドラム２１に形成された静電潜像を現像してトナー画像を形成する現像装置２４と、を有している。
【００２６】
帯電器２２は、例えば、感光体ドラム２１の表面（感光層）を負極性に帯電させる。負極性に帯電した感光体ドラム２１の表面は、露光装置２３によって露光光Ｌが照射された部分が正極性を呈し、感光体ドラム２１の表面に静電潜像が形成される。そして、現像装置２４内で負極性に摩擦帯電されたトナーが、正極性を呈する静電潜像に付着して静電潜像が現像される。
【００２７】
〔転写装置３０〕
転写装置３０は、各色の感光体ドラム２１のトナー画像を、転写ベルト３１（中間転写体）に重畳して一次転写し、該重畳されたトナー画像を二次転写位置ＮＴで記録媒体Ｐに二次転写するようになっている。具体的には、転写装置３０は、図１に示されるように、転写体の一例としての転写ベルト３１と、一次転写ロール３３と、転写部の一例としての二次転写ベルト３６と、を備えている。
【００２８】
［転写ベルト３１］
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。転写ベルト３１は、矢印Ａ方向に周回することで、一次転写された画像を二次転写位置ＮＴへ搬送するようになっている。
【００２９】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロール３２Ｂとして機能する。対向ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００３０】
［一次転写ロール３３］
一次転写ロール３３は、各感光体ドラム２１のトナー画像を転写ベルト３１に転写させるロールであり、図１に示されるように、転写ベルト３１の内側に配置されている。各一次転写ロール３３は、転写ベルト３１を挟んで対応する色の感光体ドラム２１に対して対向配置されている。また、一次転写ロール３３には、給電部（図示省略）によって、トナー極性とは逆極性の一次転写電圧が印加されるようになっている。この一次転写電圧の印加により、感光体ドラム２１に形成されたトナー画像が、一次転写位置Ｔで転写ベルト３１に転写される。
【００３１】
［二次転写ベルト３６］
二次転写ベルト３６は、転写ベルト３１に重畳されたトナー画像を記録媒体Ｐに転写するベルトである。二次転写ベルト３６は、図３に示されるように、無端状をなし、二次転写ロール３４と、従動ロール３７と、に巻き掛けられている。
【００３２】
二次転写ロール３４は、対向ロール３２Ｂとの間に転写ベルト３１及び二次転写ベルト３６を挟むように配置されており、二次転写ベルト３６と転写ベルト３１とは予め定められた荷重にて接触している。このように接触している二次転写ベルト３６と転写ベルト３１の間が二次転写位置ＮＴとされる。この二次転写位置ＮＴには、収容器５１から適時に記録媒体Ｐが供給されるようになっている。二次転写ベルト３６は、二次転写ロール３４が回転駆動されることで、矢印Ｂ方向へ周回移動される。
【００３３】
本実施形態では、転写ベルト３１のトナー画像を記録媒体Ｐに転写する際には、印加部としての給電部３９によって、対向ロール３２Ｂに負極性の電圧が印加される。これにより、対向ロール３２Ｂと二次転写ロール３４との間に電位差が生じる。すなわち、対向ロール３２Ｂに負極性の電圧が印加されることで、対向ロール３２Ｂの対向電極をなす二次転写ロール３４にトナー極性と逆極性の二次転写電圧（正極性の電圧）が間接的に印加される。これにより、二次転写位置ＮＴを通過する記録媒体Ｐに、転写ベルト３１からトナー画像が転写される。
【００３４】
＜要部構成＞
ここで、トナー画像形成部２０Ｖは、金属顔料を含まない透明なトナー（第一トナーの一例）で透明なトナー画像（第一画像の一例）を形成する第一形成部の一例である。以下、透明なトナーを透明トナーと称し、透明なトナー画像を透明画像と称する。
【００３５】
透明トナーは、結着樹脂と、その他添加剤と、を有しており、金属顔料を含む着色剤を有していない。なお、透明トナーは、微量の着色剤（金属顔料を除く）を有していてもよい。
【００３６】
トナー画像形成部２０Ｗは、金属顔料を含む白色のトナー（第二トナーの一例）で白色のトナー画像（第二画像の一例）を形成する第二形成部の一例である。以下、白色のトナーを白色トナーと称し、白色のトナー画像を白色画像と称する。
【００３７】
白色トナーは、結着樹脂と、白色顔料として酸化チタン（金属顔料の一例）と、その他添加剤と、を有している。なお、白色顔料としては、酸化チタン以外の金属顔料を用いてもよい。白色トナーは、金属顔料である酸化チタンを有しているため、導電性を有する。
【００３８】
画像形成装置１０では、トナー画像形成部２０Ｖにおける透明トナーの帯電量が、トナー画像形成部２０Ｗにおける白色トナーの帯電量よりも高くされている。具体的には、トナー画像形成部２０Ｗの現像装置２４よりも、トナー画像形成部２０Ｖの現像装置２４におけるトナーの撹拌回数を増加させることで、透明トナーの帯電量が、白色トナーの帯電量よりも高くされている。なお、キャリアに対するトナー濃度を低下させることで、透明トナーの帯電量を、白色トナーの帯電量よりも高くしてもよい。また、他の手段により、トナー画像形成部２０Ｖにおける透明トナーの帯電量を、トナー画像形成部２０Ｗにおける白色トナーの帯電量よりも高くしてもよい。
【００３９】
さらに、画像形成装置１０は、白色画像を単色にて記録媒体Ｐに形成する態様（白色単色モード）を有している。白色単色モードは、例えば、記録媒体Ｐとして、黒色等の有色の記録媒体に白色画像を形成する場合に用いられる。
【００４０】
白色単色モードでは、制御部７０が、トナー画像形成部２０Ｙ、２０Ｍ、２０Ｃ、２０Ｋ（以下、２０Ｙ〜２０Ｋという）を稼働させず且つトナー画像形成部２０Ｗを稼働させることで、実行される。さらに、白色単色モードでは、制御部７０が、実行条件を参照して、トナー画像形成部２０Ｖを稼働するか否かを決定する。
【００４１】
具体的には、制御部７０は、白色画像における単位面積当たりのトナー質量〔ｇ／ｍ２〕が、予め定められた値以上である場合であって、トナー画像形成部２０Ｗにおける白色トナーのトナー帯電量が予め定められた値未満である場合に、トナー画像形成部２０Ｖを稼働する。本実施形態では、制御部７０は、白色画像を形成するための画像データを取得し、その画像データに基づき、白色画像における単位面積当たりのトナー質量を求める。予め定められた値としては、一例として、３ｇ／ｍ２以上１５ｇ／ｍ２以下の範囲の値が用いられる。
【００４２】
トナー帯電量は、現像装置２４内のトナーを撹拌する経路にて、センサ（検出部）にて検出してもよい。また、トナー帯電量とキャリアに対するトナー濃度とに相関関係があるため、現像装置２４内のキャリアに対するトナー濃度に基づき、トナー帯電量を求めてもよい。さらに、現像装置２４内のトナーを撹拌する撹拌部材の回転数に基づき、トナー帯電量を求めてもよい。
【００４３】
さらに、制御部７０は、トナー画像形成部２０Ｗを稼働した場合において、転写ベルト３１に転写された透明画像に対し、トナー画像形成部２０Ｙ〜２０Ｋの少なくとも１つにおいて、空転写を実行する。
【００４４】
空転写は、感光体ドラム２１にトナー画像が形成されていない状態で、透明画像が一次転写位置Ｔを通過するタイミングで、一次転写電圧の印加を行うことで実行される。これにより、透明画像における透明トナーの帯電量が上昇する。
【００４５】
このように、空転写を実行するトナー画像形成部２０Ｙ〜２０Ｋの少なくとも１つが、転写ベルト３１に転写された透明画像を、記録媒体Ｐに転写される前に、転写ベルト３１上で空転写する空転写部として機能する。
【００４６】
なお、制御部７０は、白色画像における単位面積当たりのトナー質量〔ｇ／ｍ２〕が、予め定められた値以上である場合であっても、トナー画像形成部２０Ｗにおける白色トナーのトナー帯電量が予め定められた値以上である場合には、トナー画像形成部２０Ｖを稼働しない。
【００４７】
＜本実施形態の作用＞
次に、本実施形態の作用について説明する。ここでは、白色単色モードにおける作用について説明する。
【００４８】
白色単色モードの画像形成指令を受けた制御部７０は、白色画像における単位面積当たりのトナー質量〔ｇ／ｍ２〕が、予め定められた値以上である場合であって、トナー画像形成部２０Ｗにおける白色トナーのトナー帯電量が予め定められた値未満である場合に、トナー画像形成部２０Ｖ、２０Ｗを稼働する。
【００４９】
この場合では、トナー画像形成部２０Ｖの感光体ドラム２１において、透明画像が形成され、トナー画像形成部２０Ｗの感光体ドラム２１において、白色画像が形成される。
【００５０】
透明画像が周回する転写ベルト３１に最初に一次転写され、その後、白色画像が、転写ベルト３１における透明画像の上に一次転写される。これにより、転写ベルト３１には、透明画像の上に白色画像が重畳されたトナー画像が形成される。このトナー画像が、二次転写位置ＮＴで記録媒体Ｐに二次転写される。これにより、記録媒体Ｐ上に白色画像が載せられ、その白色画像の上に透明画像が載せられる。
【００５１】
ここで、白色画像における単位面積当たりのトナー質量〔ｇ／ｍ２〕が、予め定められた値以上である場合であって、トナー画像形成部２０Ｗにおける白色トナーのトナー帯電量が予め定められた値未満である場合に、トナー画像形成部２０Ｗのみを稼働する場合（第一比較例）では、以下のようになる。
【００５２】
すなわち、図４に示されるように、二次転写ベルト３６と、記録媒体Ｐにおける二次転写ベルト３６を通過した通過部分と、の間で剥離放電が生じると、負極に帯電していた記録媒体Ｐは、通過部分が低帯電化しやすい。
【００５３】
これにより、記録媒体Ｐの通過部分と通過前の部分とで電界が形成され、記録媒体Ｐに転写された白色画像における記録媒体Ｐへの付着力の弱い白色トナー（例えば、上層のトナー）が、前述の電界に沿って、白色画像の後方側へ飛散する場合がある。
【００５４】
特に、白色トナーは、導電性を有するため、白色トナーが、電荷注入によって低帯電化しやすい。このため、記録媒体Ｐへの付着力が弱くなりやすく、白色画像の後方側へ飛散しやすい。
【００５５】
また、記録媒体Ｐとして、樹脂フィルム等の高抵抗（裏面抵抗値が例えば１０logΩ/□以上）のシート材を用いた場合では、剥離放電が生じやすく、白色トナーが白色画像の後方側へ飛散しやすい。
【００５６】
さらに、白色画像における単位面積当たりのトナー質量が多くなると、記録媒体Ｐ上に形成されるトナー層が多層になる。これにより、記録媒体Ｐへの付着力の弱くなる上層のトナー量が増えるため、白色画像の後方側への飛散が発生しやすい。
【００５７】
これに対して、本実施形態では、図５に示されるように、記録媒体Ｐ上の白色トナーＷＴ（白色画像）の上に透明トナーＶＴ（透明画像）が載せられる。透明トナーは、金属顔料を含んでいないため、電荷注入による低帯電化を生じにくい。このため、透明トナーは、白色トナーよりも記録媒体Ｐへの付着力が強い。このように、記録媒体Ｐへの付着力が白色トナーよりも強い透明トナーが白色トナーに載せられるので、透明トナーが白色トナーを保持し、第一比較例に比べ、白色トナーの白色画像の後方側へ飛散するのが抑制される。なお、図４及び図５では、記録媒体Ｐ及びトナーを模式的（概念的）に示している。
【００５８】
また、本実施形態では、透明トナーの帯電量が、二次転写前に白色トナーの帯電量よりも高くされている。このため、透明トナーは、白色トナーよりも記録媒体Ｐへの付着力が強い。したがって、二次転写前に透明トナーの帯電量が、白色トナーの帯電量以下である構成に比べ、透明トナーが白色トナーを記録媒体Ｐに保持する保持力が向上する。
【００５９】
さらに、本実施形態では、制御部７０が、転写ベルト３１に転写された透明画像に対し、トナー画像形成部２０Ｙ〜２０Ｋの少なくとも１つにおいて、空転写を実行する。
【００６０】
空転写は、感光体ドラム２１にトナー画像が形成されていない状態で、一次転写電圧の印加を行うことで実行される。これにより、透明画像における透明トナーの帯電量が上昇する。
【００６１】
このため、透明トナーは、白色トナーよりも記録媒体Ｐへの付着力が強くなる。したがって、透明画像が空転写を受けずにそのまま記録媒体Ｐに転写される構成に比べ、透明トナーが白色トナーを記録媒体Ｐに保持する保持力が向上する。
【００６２】
一方、白色画像における単位面積当たりのトナー質量〔ｇ／ｍ２〕が、予め定められた値以上である場合であっても、トナー画像形成部２０Ｗにおける白色トナーのトナー帯電量が予め定められた値以上である場合には、制御部７０は、トナー画像形成部２０Ｖを稼働せず、トナー画像形成部２０Ｗのみを稼働する。
【００６３】
この場合では、トナー画像形成部２０Ｗの感光体ドラム２１において、白色画像が形成される。この白色画像は、周回する転写ベルト３１に一次転写された後、二次転写位置ＮＴで記録媒体Ｐに二次転写される。記録媒体Ｐに二次転写された白色画像は、定着装置４０にて、記録媒体Ｐに定着される。
【００６４】
白色トナーのトナー帯電量が予め定められた値以上である場合では、記録媒体Ｐへの付着力が強く、白色トナーの白色画像の後方側への飛散が生じにくい。このため、本実施形態では、白色トナーのトナー帯電量が予め定められた値以上である場合には、透明画像を形成しない。
【００６５】
画像形成装置１０によれば、白色画像における単位面積当たりのトナー質量〔ｇ／ｍ２〕が、予め定められた値以上である場合であって、トナー画像形成部２０Ｗにおける白色トナーのトナー帯電量が予め定められた値以上である場合に、常に、透明画像を転写ベルト３１に転写した後にその上に白色画像が転写される場合（第四比較例）に比べ、透明トナーの不要な消費が抑制される。
【００６６】
（変形例）
上記の実施形態では、白色画像における単位面積当たりのトナー質量〔ｇ／ｍ２〕が、予め定められた値以上である場合において、トナー画像形成部２０Ｗにおける白色トナーのトナー帯電量が予め定められた値未満であるか否かによって、トナー画像形成部２０Ｖの稼働を決定していたが、これに限られない。例えば、白色画像における単位面積当たりのトナー質量〔ｇ／ｍ２〕が、予め定められた値以上である場合であれば、トナー画像形成部２０Ｗにおける白色トナーのトナー帯電量に関わらず、トナー画像形成部２０Ｖ、２０Ｗを稼働してもよい。
【００６７】
上記の実施形態では、透明トナーの帯電量が、二次転写前に白色トナーの帯電量よりも高くされていたが、透明トナーの帯電量は、白色トナーの帯電量以下の帯電量であってもよい。
【００６８】
上記の実施形態では、制御部７０が、転写ベルト３１に転写された透明画像に対し、トナー画像形成部２０Ｙ〜２０Ｋの少なくとも１つにおいて、空転写を実行していたが、空転写を実行しない構成であってもよい。
【００６９】
上記の実施形態では、第一トナーの一例として、透明トナーを用いたが、これに限られない。第一トナーの一例としては、例えば、イエロー（Ｙ）、マゼンタ（Ｍ）、シアン（Ｃ）、ブラック（Ｋ）、その他の有色のトナーを用いてもよい。したがって、第一形成部の一例としてのトナー画像形成部２０Ｖに替えて又は加えて、イエロー（Ｙ）、マゼンタ（Ｍ）、シアン（Ｃ）、ブラック（Ｋ）のトナーを用いたトナー画像形成部２０Ｙ〜２０Ｋの少なくとも１つを第一形成部の一例として用いてもよい。
【００７０】
なお、有色のトナーは、金属顔料を含まず、金属顔料以外の顔料と結着樹脂とを含んで構成される。また、有色のトナーを用いる構成は、白色画像が有色画像の下地として用いられる。
【００７１】
また、上記の実施形態では、第二トナーの一例として、白色トナーを用いたが、これに限られない。第二トナーの一例としては、例えば、銀色や金色等の金属色のトナーを用いてもよい。銀色のトナーは、例えば、アルミニウム等で形成された金属顔料と結着樹脂とを含んで構成される。金色のトナーは、例えば、アルミニウム等で形成された金属顔料と、イエローの着色剤と、結着樹脂とを含んで構成される。
【００７２】
（画像形成装置１０の変形例）
本実施形態に係る画像形成装置１０は、タンデム方式の画像形成装置とされていたが、これに限られない。例えば、ロータリ型現像装置を備えた図６に示す画像形成装置６００であってもよい。
【００７３】
画像形成装置６００は、図６に示されるように、トナー画像を形成するトナー画像形成部６１２（第一形成部の一例、第二形成部の一例）と、トナー画像形成部６１２で形成されたトナー画像を記録媒体Ｐに転写する転写装置６３０と、画像形成装置６００の各部の動作を制御する制御部６７０と、を備えている。
【００７４】
トナー画像形成部６１２は、矢印−Ｒ方向に回転する感光体ドラム６２１と、感光体ドラム６２１を帯電させる帯電器６２２と、を有している。さらに、トナー画像形成部６１２は、帯電器６２２によって帯電された感光体ドラム６２１を露光して感光体ドラム６２１に静電潜像を形成する露光装置６２３と、露光装置６２３によって感光体ドラム６２１に形成された静電潜像を現像してトナー画像を形成するロータリ現像装置６４０と、を有している。
【００７５】
転写装置６３０は、複数のロール６３２に巻き掛けられた転写ベルト６３１（転写体の一例）と、感光体ドラム６２１のトナー画像を一次転写位置Ｔで転写ベルト６３１に転写する一次転写ロール６３３と、二次転写電圧が印加されて転写ベルト６３１のトナー画像を二次転写位置ＮＴで記録媒体Ｐに転写する二次転写ロール６３４（転写部の一例）と、有している。
【００７６】
ロータリ現像装置６４０は、回転軸６４９と、回転軸６４９の周囲に配置された透明色（Ｖ）、イエロー（Ｙ）、マゼンタ（Ｍ）、シアン（Ｃ）、ブラック（Ｋ）、白色（Ｗ）、の現像器６４Ｖ、６４Ｙ、６４Ｍ、６４Ｃ、６４Ｋ、６４Ｗ（以下、６４Ｖ〜６４Ｗという）と、を備えている。現像器６４Ｖ〜６４Ｗには、各色のトナーが収容されると共に、該トナーを感光体ドラム６２１に付着されるための現像ロール６４８を有している。すなわち、現像器６４Ｖには、金属顔料を含まない透明トナー（第一トナーの一例）が収容されている。現像器６４Ｗには、金属顔料を含む白色トナー（第二トナーの一例）が収容されている。
【００７７】
ロータリ現像装置６４０は、中心角で６０°ずつ矢印＋Ｒ方向に回転されることで、感光体６２の外周面と対向する現像位置で現像処理を行う現像器６４Ｖ〜６４Ｗが切り替えられる。
【００７８】
画像形成装置６００では、白色単色モードの画像形成指令を受けた制御部６７０が、白色画像における単位面積当たりのトナー質量〔ｇ／ｍ２〕が、予め定められた値以上である場合であって、白色トナーのトナー帯電量が予め定められた値未満である場合に、現像器６４Ｖ、６４Ｗを用いる。
【００７９】
この場合では、感光体ドラム６２１に透明画像が形成されて、当該透明画像が転写ベルト６３１に最初に一次転写される。その後、感光体ドラム６２１に白色画像が形成されて、当該白色画像が、転写ベルト６３１における透明画像の上に一次転写される。これにより、転写ベルト６３１には、透明画像の上に白色画像が重畳されたトナー画像が形成される。このトナー画像が、二次転写位置ＮＴで転写ベルト６３１から記録媒体Ｐへ二次転写される。これにより、記録媒体Ｐ上に白色画像が載せられ、その白色画像の上に透明画像が載せられる。
【００８０】
透明トナーは、金属顔料を含んでいないため、電荷注入による低帯電化を生じにくい。このため、透明トナーは、白色トナーよりも記録媒体Ｐへの付着力が強い。このように、記録媒体Ｐへの付着力が白色トナーよりも強い透明トナーが白色トナーに載せられるので、透明トナーが白色トナーを保持し、第一比較例に比べ、白色トナーの白色画像の後方側へ飛散するのが抑制される。
【００８１】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【００８２】
１０   画像形成装置
２０Ｖ トナー画像形成部（第一形成部の一例）
２０Ｗ トナー画像形成部（第二形成部の一例）
２０Ｙ、２０Ｍ、２０Ｃ、２０Ｋ     トナー画像形成部（空転写部の一例）
３１   転写ベルト（転写体の一例）
３６   二次転写ベルト（転写部の一例）
【図１】
2018155781.tif 000003
【図２】
2018155781.tif 000004
【図３】
2018155781.tif 000005
【図４】
2018155781.tif 000006
【図５】
2018155781.tif 000007
【図６】
2018155781.tif 000008